(57)【要約】【課題】下着として普通に着用するだけで、血行促進，新陳代謝の向上，免疫力の向上，体脂肪の減少，疲労回復，男性機能の向上などの健康増進・維持効果や、ストレスの解消，各症状の緩和・治癒などの効果を得ることができること。【解決手段】遠赤外線放射材料と、マイナスイオン発生材料と、人体に有用とされる多数の微量元素とを含む鉱物粉末２０を、下着１を着用した際に施術対象部位２に位置する布地表面にプリント等により直接塗着させること。【選択図】　　図１
0003097820.tif 000002
【実用新案登録請求の範囲】
【請求項１】
遠赤外線放射材料と、マイナスイオン発生材料と、人体に有用とされる多数の微量元素とを含む鉱物粉末を、着用時に施術対象部位に位置する布地表面にプリント等により塗着させていることを特徴とする機能性下着。
【請求項２】
請求項１に記載の機能性下着において、
前記鉱物粉末は、微量元素であるバナジウム，亜鉛の含有率が高いことを特徴とする機能性下着。
【請求項３】
請求項２に記載の機能性下着において、
布地表面と皮膚とが直に接触する態様で着用される下半身用の下着であって、
前記鉱物粉末が下腹部の中央部分に重点的に塗着されていることを特徴とする機能性下着。
【請求項４】
請求項１から３のいずれかに記載の機能性下着において、
前記鉱物粉末は、富士山山麓で採取される溶岩石を粉末状に粉砕させたものであることを特徴とする機能性下着。
【考案の詳細な説明】
【０００１】
【考案の属する技術分野】
本考案は、機能性下着に関する。特に、体脂肪の燃焼促進，新陳代謝の向上などの効果を有する機能性下着に関する。
【０００２】
【従来の技術】
近年、遠赤外線やマイナスイオンによる血液浄化，細胞活性化などの効果に着目して、健康増進・維持を目的とする、遠赤外線を放射する衣類や寝具、マイナスイオンを発生する装置や日用品，装飾品など広く利用されている。
【０００３】
また、近年の研究により一般にミネラルと称される微量元素の人体内における役割や生体機能への関与、これらの欠乏症が明らかにされている。人体内において重要な機能を担う微量元素は、偏った食事，過剰なストレス，睡眠不足，不規則な生活によって消失されるものも多く、現代人の多くが何らかの微量元素の欠乏による体調不良や倦怠感などの諸症状に悩まされている。そのため、これらの諸症状を治癒・緩和することを目的とした微量元素を含有するサプリメントが利用されている。
【０００４】
【考案が解決しようとする課題】
しかしながら、遠赤外線やマイナスイオンによる健康増進・維持の効果を得るためには、十分量の遠赤外線やマイナスイオンの放射を受ける必要があり、仕事などで外出や移動が多い人は、ゆっくりと遠赤外線やマイナスイオンの放射を受けることができないという問題がある。また、携帯できる遠赤外線又はマイナスイオン発生グッズなども利用されているが、いずれも遠赤外線又はマイナスイオンの放射量が少なく、また、体表面から離れた状態で携帯されるものも多いから、期待するような効果を得ることができるものは少ない。
【０００５】
微量元素を含有するサプリメントは、継続的に摂取することが面倒であると共に、人体内に微少量しか存在しないものであるから過剰摂取によるトラブルや、他のサプリメントや食材，常用する薬剤などとの関係による吸収阻害などにより、十分な効果が得られないという問題がある。
【０００６】
本考案は、上記事情を鑑みてなされたものであり、下着として普通に着用するだけで、遠赤外線及びマイナスイオン並びに微量元素による、血行促進，新陳代謝の向上，免疫力の向上，体脂肪の減少，疲労回復，男性機能の向上などの健康増進・維持効果や、ストレスの解消，各症状の緩和・治癒などの効果を得ることができる機能性下着を提供することを課題とする。
【０００７】
【課題を解決するための手段】
＊１項
上記課題を解決するための本考案の技術的手段は、『遠赤外線放射材料と、マイナスイオン発生材料と、人体に有用とされる多数の微量元素とを含む鉱物粉末を、着用時に施術対象部位に位置する布地表面にプリント等により塗着させている』ことを特徴とするものである。
これによれば、本考案の機能性下着を着用することによって、布地表面に塗着された鉱物粉末から放射される遠赤外線及びマイナスイオンを施術対象部位に確実に作用させることができる。これにより、放射される８〜１４ミクロンの波長の遠赤外線が施術対象部位の皮膚表面より数ｃｍ深い組織に浸透し、筋肉層，血管，リンパ管，神経などの細胞組織内の物質と共鳴して、細胞を活性化するから、血管が拡張され新陳代謝が促進される。また、遠赤外線の温熱効果により汗腺及び皮脂腺から老廃物や毒物等が体外へと効率よく排出される。
【０００８】
また、マイナスイオンにより皮下細胞組織の血液やリンパ液などの体液が弱アルカリ化されると共に、血流がスムーズになり新陳代謝が促進される。また、マイナスイオンは神経組織へも作用して交感神経と副交感神経からなる自律神経のバランスを安定させる。
【０００９】
上記遠赤外線及びマイナスイオンの放射に加えて、人体の体温や水分によってイオン化された微量元素が鉱物粉末から皮膚を介して体内へと吸収されるから、不足しがちな微量元素を補給することができる。
【００１０】
＊２項
１項において、『前記鉱物粉末は、微量元素であるバナジウム，亜鉛の含有率が高い』ことを特徴としている。
バナジウムは、血糖値を降下させる作用を有しており、血糖から合成される脂肪の増加を抑制できるから、本考案の機能性下着の着用により、肥満解消又は予防の効果があると共に、糖尿病の改善又は予防の効果もあると考えられる。また、高血糖に起因して生じる肌荒れ，便秘，血管壁への中性脂肪やコレステロールの付着による血圧の上昇などを予防する効果もあると考えられる。
【００１１】
亜鉛は、人体に必須な微量元素であり、細胞分裂，たんぱく質の合成，酵素の活性化等の生体機能維持に深く関与しており、これが不足することで味覚・視覚障害，傷口の回復の遅れ，発育不良，免疫力の低下などの症状が起こるとされている。また、前立腺や精液中に多く存在することから、特に男性機能（生殖能力）と密接な関係があるとされ、セックスミネラルとも称されている。そのため、本考案の機能性下着の着用により、老化の防止，味覚・聴覚障害の解消，免疫力の向上に加えて、男性機能の向上，前立腺肥大症の予防，不妊症の改善などの効果もあると考えられる。
【００１２】
＊３項
２項において、『布地表面と皮膚とが直に接触する態様で着用される下半身用の下着であって、前記鉱物粉末が下腹部の中央部分に重点的に塗着されている』ことを特徴とするものでは、本考案の機能性下着を着用することにより、生殖機能を司る前立腺や男性生殖器に対して、集中的且つ連続的にセックスミネラルである亜鉛を作用させることができるから、よりいっそう男性機能の向上の効果が期待できる。
【００１３】
＊４項
１項から３項のいずれかにおいて、『前記鉱物粉末は、富士山山麓で採取される溶岩石を粉末状に粉砕させたものである』ことを特徴とするものである。富士山山麓の溶岩石には、上記２項のバナジウム，亜鉛に加えて、必須微量元素である鉄，銅，コバルト，マンガン，クロム，セリュームをはじめ、血糖降下作用があるとされるマンガン、躁うつ病に効果があるとされるリチウムや、その他スカンジュウム，ゲルマニウム，ルビジュウムなどの二十数種類の微量元素が含まれている。
【００１４】
そのため、本考案の機能性下着を常時着用することにより、これらの微量元素を皮膚を介して体内へ供給できるから、これらの微量元素の欠乏に起因する諸症状の予防と共に、これらの微量元素に特有の健康増進・維持の効果を期待することができる。
【００１５】
【考案の効果】
上記のような構成であるから本考案は次の特有の効果を有する。
本考案の機能性下着は、遠赤外線放射材料，マイナスイオン発生材料，微量元素を含む鉱物粉末を着用時に施術対象部位が位置する布地表面に塗着させることで、下着として普通に着用するだけで、遠赤外線の温熱効果により新陳代謝及び老廃物等の体外への排出が促進されると共に、マイナスイオンの効果によっても血流や新陳代謝の促進、自律神経のバランスが安定される。そのため、免疫力の向上，疲労回復，肩こりの解消，神経痛の改善，ストレス解消などの健康増進・維持などの効果がある。また、新陳代謝の活性化により脂肪の燃焼が促進されるから、肥満を解消又は予防するダイエット効果もある。
さらに、着用するだけで不足しがちな微量元素を補給できるから、各種微量元素の欠乏に起因する体調不良や諸症状が治癒・緩和されるという効果もある。
【００１６】
また、下着として着用することにより、昼夜を問わず施術対象部位に対して遠赤外線・マイナスイオンの放射及び微量元素の供給を集中的且つ連続的に行うことができるから、より高い効果を得ることができる。また、施術・治療のための時間の確保や定時にサプリメントを摂取する必要がなく、多忙な現代人にとって利便性が高い。
【００１７】
また、２項のものによれば、バナジウムと亜鉛を多く含有することで、バナジウムの血糖効果作用によって、肥満，糖尿病，肌荒れ，便秘，高血圧などを改善又は予防することができると共に、亜鉛により、味覚・視覚障害，傷口の回復の遅れ，発育不良，免疫力の低下などの諸症状の予防に加え、男性機能の向上，前立腺肥大症の予防，不妊症の改善などの効果がある。
【００１８】
また、３項のものによれば、鉱物粉末を下腹部の中央部分に重点的に塗着することで、生殖機能を司る前立腺や男性生殖器に集中的且つ連続的に亜鉛を作用できるため、よりいっそう男性機能の向上の効果が期待できる。
【００１９】
また、４項のものによれば、鉱物粉末として富士山山麓で採取される溶岩石を用いることで、溶岩石に含有される二十数種類の微量元素を体内へと補給できるから、各種微量元素の欠乏に起因する諸症状の防止，微量元素に特有の健康増進・維持の効果を期待することができる。
【００２０】
【考案の実施の形態】
以下に、本考案の実施の形態について添付図面を参照しながら詳述する。
本考案実施の形態の機能性下着一例である男性用の下着を図１に示している。
このものは、下半身に着用される一般的なトランクス型の男性用下着であり、伸縮性のあるウエスト部１０と、下半身を覆う被覆部１１と、脚を挿通する一対の挿通部１２とからなっており、前記被覆部１１の前面側には開閉自在な窓部１３が形成されている。
【００２１】
この男性用下着は、健康増進・維持に加えて、男性機能の向上や強化することを目的としており、図１に示されるように、着用時に生殖機能を司る前立腺及び男性性器が位置する前記被覆部１１の前面中央部２の布地表面に、前記窓部１３の両側に鉱物粉末からなる多数の円形プリント２９が特殊プリントによって布地表面に直に塗着されている。これにより、鉱物粉末から放射された遠赤外線及びマイナスイオンが前記前立腺及び男性性器に直接作用すると共に、前記鉱物粉末から微量元素が皮膚を介して前記前立腺及び男性性器に供給されると考えられる。
【００２２】
前記鉱物粉末は、富士山山麓から採取された溶岩石を粉末化したものであり、遠赤外線及びマイナスイオンを放射すると共に、人体にとって必須微量元素とされる鉄，銅，亜鉛，コバルト，モリブデン，クロム，セリュームをはじめ、バナジウム，リチウム，マンガン，ゲルマニウム，ルビジウムなどの二十数種類の微量元素を含有するものである。特に、この溶岩石には、血糖降下作用があるとされるバナジウム，免疫力や男性機能を向上させる効果があるとされる亜鉛が多く含有されていることが分析により明らかになっている。
【００２３】
上記のような構成であるから、この男性用下着を普通の下着と同じように着用することにより、遠赤外線及びマイナスイオンが前立腺並びに男性性器を含む下腹部に集中的且つ連続的に放射されるから、下腹部の体細胞が活性化されて血行及び新陳代謝が促進され、脂肪の燃焼，疲労回復，整腸作用，免疫力の向上，ストレス解消などの効果が得られる。
【００２４】
また、血糖降下作用を有するバナジウムが体内へ供給されるから、血糖を材料とする脂肪やコレステロールの合成が抑制されるから、肥満の解消・予防，糖尿病の改善・予防，高血圧の改善，便秘の解消などの効果も得られる。
【００２５】
さらに、セックスミネラルであり前立腺の機能維持や精子の生成に重要な役割を担うとされる亜鉛が前立腺及び男性性器に直接供給されるから、男性機能の向上，前立腺肥大の予防，不妊症の解消などによりいっそう高い効果が得られる。
【００２６】
また、本考案の機能性下着を着用することで、遠赤外線・マイナスイオン・微量元素による効果を一度に得ることができると共に、これらが同時に作用することにより互いの効果を高めるような相乗効果も生じるから、遠赤外線，マイナスイオン，微量元素を単独で施術する場合に比べて、より高い健康増進・維持，諸症状の治癒・緩和，精神の安定などの効果を得ることができる。
【００２７】
＊その他
本考案の機能性下着は上記した実施の形態の男性用下着に限られるものではない。
前述の例において、鉱物粉末は、特に男性機能の向上の効果を得られるように、下着の前面中央部のみに特殊プリントによって塗着されているが、鉱物粉末の塗着位置や範囲は、着用者の希望する効果に応じて設定すればよい。例えば、肥満の解消・予防を主目的とする場合は、下腹部や腰周りなどに集中的に塗着させて脂肪の燃焼をよりいっそう促進できるようにすればよい。また、鉱物粉末２０は、一部分だけでなく下着の布地全面に塗着させるものであっても、皮膚に直に接触するように内側の布地表面に塗着させるものであってもよい。
【００２８】
前述の男性用下着は、皮膚と布地との間に余裕があるトランクス型であるが、布地と皮膚とが密に接触するブリーフ型やボクサー型などの下着であってもよい。このように、布地と施術対象部位の皮膚とが密に接触する型のものでは、バナジウムや亜鉛などの微量元素の体内への吸収率がより高くなると考えられる。
【００２９】
また、本考案の機能性下着は、皮膚に直に接触する態様で着用されるものであれば、前述の下半身用の下着に限らず、上半身に着用される下着であっても、また、女性用下着であるショーツ，ブラジャー，ボディスーツなどであってもよい。
【図面の簡単な説明】
【図１】本考案実施の形態における機能性下着を示す説明図である。
【符号の説明】
（１）・・・男性用下着
（２）・・・前面中央部（施術対象部位）
（２０）・・・円形プリント（鉱物粉末）
【図１】
0003097820.tif 000003